(57)【要約】【課題】  不要な部分を含むテレビ番組表をユーザ側の装置に格納しておかなくても、テレビ番組に対応したホームページにアクセスすることを可能とする。【解決手段】  テレビ番組表示部１０４は、チューナー部１０３が受信しているテレビ番組をディスプレイに表示する。クライアント側問合せ部１０６は、現在日時検出部１０２が検出した現在日時及びチャンネル検出部１０５が検出したチューナー部１０３が現在受信しているテレビ番組のチャンネルに対応するホームページのＵＲＬをサーバ側問合せ部１９７から取得する。ＷＷＷブラウザ１０７は、そのＵＲＬに対応するホームページをＷＷＷサーバ１９９からアクセスし、ディスプレイ１０８に表示する。【選択図】        図２
2006099379.tif 000002
【特許請求の範囲】
【請求項１】
画面に表示するテレビ番組のチャンネル及び放送日時に対応するＵＲＬを、前記テレビ番組のチャンネル及び放送日時とＵＲＬとの対応関係を記述したデータであって電気通信回線によりアクセスすることが可能なものから検索し、検索された前記ＵＲＬにより特定されるホームページを画面に表示することを特徴とするテレビ番組に連動したホームページの表示方法。
【請求項２】
請求項１に記載のテレビ番組に連動したホームページの表示方法において、
タイムシフト再生のために予め前記テレビ番組を記録しておき、
前記テレビ番組の記録と共に該テレビ番組のチャンネルも記録日時に対応づけて記録しておき、
タイムシフト再生を行う時に、現在の日時からタイムシフト量を差し引いて得られる日時を前記ＵＲＬの検索のための前記放送日時として利用し、現在の日時からタイムシフト量を差し引いて得られる日時と同一の記録日時に対応するチャンネルを前記ＵＲＬの検索のためのチャンネルとして利用することを特徴とするテレビ番組に連動したホームページの表示方法。
【請求項３】
請求項２に記載のテレビ番組に連動したホームページの表示方法において、
前記テレビ番組のチャンネルの前記記録日時に対応した記録は、定期的に行うことを特徴とするテレビ番組に連動したホームページの表示方法。
【請求項４】
請求項２に記載のテレビ番組に連動したホームページの表示方法において、
前記テレビ番組のチャンネルの前記記録日時に対応した記録は、記録される前記テレビ番組のチャンネルが変化した時に行うことを特徴とするテレビ番組に連動したホームページの表示方法。
【請求項５】
請求項２に記載のテレビ番組に連動したホームページの表示方法において、
ＵＲＬを検索する度に、該ＵＲＬに対応したホームページを検索することを特徴とするテレビ番組に連動したホームページの表示方法。
【請求項６】
請求項２に記載のテレビ番組に連動したホームページの表示方法において、
今回検索されたＵＲＬが前回検索されたＵＲＬと異なる場合に今回検索された前記ＵＲＬに対応したホームページを検索することを特徴とするテレビ番組に連動したホームページの表示方法。
【請求項７】
請求項２に記載のテレビ番組に連動したホームページの表示方法において、
前記テレビ番組のチャンネルを記録日時のみならず記録される前記テレビ番組のファイル名にも対応づけて記録し、
前記タイムシフト再生を行う場合に、現在の日時からタイムシフト量を差し引いて得られる日時と同一の記録日時及びタイムシフト再生を行っている前記テレビ番組のファイル名に対応するチャンネルを前記ＵＲＬの検索のために利用することを特徴とするテレビ番組に連動したホームページの表示方法。
【請求項８】
請求項１に記載のテレビ番組に連動したホームページの表示方法において、
予め前記テレビ番組を記録しておき、
前記テレビ番組の記録と共に記録開始日時を記録しておき、
前記テレビ番組の記録と共に該テレビ番組のチャンネルも記録経過時間に対応づけて記録しておき、
記録しておいた前記テレビ番組の再生を行う時に、前記記録開始日時に再生部分の前記記録経過時間を加算することにより得られる日時を前記ＵＲＬの検索のための前記放送日時として利用し、再生部分の前記記録経過時間に対応するチャンネルを前記ＵＲＬの検索のためのチャンネルとして利用することを特徴とするテレビ番組に連動したホームページの表示方法。
【請求項９】
請求項８に記載のテレビ番組に連動したホームページの表示方法において、
前記テレビ番組のチャンネルの前記記録経過時間に対応した記録は、定期的に行うことを特徴とするテレビ番組に連動したホームページの表示方法。
【請求項１０】
請求項８に記載のテレビ番組に連動したホームページの表示方法において、
前記テレビ番組のチャンネルの前記記録経過時間に対応した記録は、記録される前記テレビ番組のチャンネルが変化した時に行うことを特徴とするテレビ番組に連動したホームページの表示方法。
【請求項１１】
請求項８に記載のテレビ番組に連動したホームページの表示方法において、
ＵＲＬを検索する度に、該ＵＲＬに対応したホームページを検索することを特徴とするテレビ番組に連動したホームページの表示方法。
【請求項１２】
請求項８に記載のテレビ番組に連動したホームページの表示方法において、
今回検索されたＵＲＬが前回検索されたＵＲＬと異なる場合に今回検索された前記ＵＲＬに対応したホームページを検索することを特徴とするテレビ番組に連動したホームページの表示方法。
【請求項１３】
請求項８に記載のテレビ番組に連動したホームページの表示方法において、
前記テレビ番組のチャンネルを記録経過時間のみならず記録される前記テレビ番組のファイル名にも対応づけて記録し、
前記再生を行う場合に、再生部分の前記記録経過時間及び再生を行っている前記テレビ番組のファイル名に対応するチャンネルを前記ＵＲＬの検索のために利用することを特徴とするテレビ番組に連動したホームページの表示方法。
【請求項１４】
請求項１に記載のテレビ番組に連動したホームページの表示方法において、
予め前記テレビ番組を記録しておき、
前記テレビ番組を記録する時の該テレビ番組のチャンネル及び放送日時に対応する記録時ＵＲＬを検索し、
前記テレビ番組の記録と共に前記記録時ＵＲＬも記録経過時間に対応づけて記録しておき、
記録しておいた前記テレビ番組の再生を行う時に、再生部分の前記記録経過時間に対応した前記記録時ＵＲＬにより特定されるホームページを画面に表示することを特徴とするテレビ番組に連動したホームページの表示方法。
【請求項１５】
請求項１４に記載のテレビ番組に連動したホームページの表示方法において、
前記記録時ＵＲＬの前記記録経過時間に対応した記録は、定期的に行うことを特徴とするテレビ番組に連動したホームページの表示方法。
【請求項１６】
請求項１４に記載のテレビ番組に連動したホームページの表示方法において、
前記記録時ＵＲＬの前記記録経過時間に対応した記録は、該記録時ＵＲＬが変化した時に行うことを特徴とするテレビ番組に連動したホームページの表示方法。
【請求項１７】
請求項１４に記載のテレビ番組に連動したホームページの表示方法において、
記録しておいた前記テレビ番組の再生を行う時に、再生部分の前記記録経過時間に対応した前記記録時ＵＲＬにより特定されるホームページを定期的に検索し、検索された前記ホームページを画面に表示することを特徴とするテレビ番組に連動したホームページの表示方法。
【請求項１８】
請求項１４に記載のテレビ番組に連動したホームページの表示方法において、
記録しておいた前記テレビ番組の再生を行う時に、再生部分の前記記録経過時間に対応した前記記録時ＵＲＬが変化した場合に変化後のＵＲＬに対応したホームページを検索し、検索された前記ホームページを画面に表示することを特徴とするテレビ番組に連動したホームページの表示方法。
【請求項１９】
請求項１４に記載のテレビ番組に連動したホームページの表示方法において、
前記ＵＲＬを記録経過時間のみならず記録される前記テレビ番組のファイル名にも対応づけて記録し、
前記再生を行う場合に、再生部分の前記記録経過時間及び再生を行っている前記テレビ番組のファイル名に対応するＵＲＬをホームページ表示のために利用することを特徴とするテレビ番組に連動したホームページの表示方法。
【請求項２０】
請求項１に記載のテレビ番組に連動したホームページの表示方法において、
予め前記テレビ番組を記録しておき、
前記テレビ番組を記録する時の該テレビ番組のチャンネル及び放送日時に対応する記録時ＵＲＬを検索し、該記録時ＵＲＬにより特定される記録時ホームページを取得し、
前記テレビ番組の記録と共に前記記録時ホームページも記録経過時間に対応づけて記録しておき、
記録しておいた前記テレビ番組の再生を行う時に、再生部分の前記記録経過時間に対応した前記記録時ホームページを画面に表示することを特徴とするテレビ番組に連動したホームページの表示方法。
【請求項２１】
請求項２０に記載のテレビ番組に連動したホームページの表示方法において、
前記記録時ホームページの前記記録経過時間に対応した記録は、定期的に行うことを特徴とするテレビ番組に連動したホームページの表示方法。
【請求項２２】
請求項２０に記載のテレビ番組に連動したホームページの表示方法において、
前記記録時ホームページの前記記録経過時間に対応した記録は、該記録時ホームページが変化した時に行うことを特徴とするテレビ番組に連動したホームページの表示方法。
【請求項２３】
請求項２０に記載のテレビ番組に連動したホームページの表示方法において、
記録しておいた前記テレビ番組の再生を行う時に、再生部分の前記記録経過時間に対応した前記記録時ホームページを定期的に読み出し、読み出された前記ホームページを画面に表示することを特徴とするテレビ番組に連動したホームページの表示方法。
【請求項２４】
請求項２０に記載のテレビ番組に連動したホームページの表示方法において、
記録しておいた前記テレビ番組の再生を行う時に、再生部分の前記記録経過時間に対応した前記記録時ホームページのファイル名が変化した場合に変化後のホームページを読み出し、読み出された前記ホームページを画面に表示することを特徴とするテレビ番組に連動したホームページの表示方法。
【請求項２５】
請求項２０に記載のテレビ番組に連動したホームページの表示方法において、
前記記録時ホームページを記録経過時間のみならず記録される前記テレビ番組のファイル名にも対応づけて記録し、
前記再生を行う場合に、再生部分の前記記録経過時間及び再生を行っている前記テレビ番組のファイル名に対応するホームページを表示することを特徴とするテレビ番組に連動したホームページの表示方法。
【請求項２６】
請求項１に記載のテレビ番組に連動したホームページの表示方法において、
自動表示モードにおいては、常に前記ホームページの前記画面への表示を行い、手動表示モードにおいては、ユーザにより指示された場合に、前記ホームページの前記画面への表示を行うことを特徴とするテレビ番組に連動したホームページの表示方法。
【請求項２７】
画面に表示するテレビ番組のチャンネル及び放送日時に対応するＵＲＬを、前記テレビ番組のチャンネル及び放送日時とＵＲＬとの対応関係を記述したデータであって電気通信回線によりアクセスすることが可能なものから検索し、検索された前記ＵＲＬにより特定されるホームページを画面に表示することを特徴とするテレビ番組に連動したホームページの表示装置。
【請求項２８】
請求項２７に記載のテレビ番組に連動したホームページの表示装置において、
タイムシフト再生のために予め前記テレビ番組を記録しておき、
前記テレビ番組の記録と共に該テレビ番組のチャンネルも記録日時に対応づけて記録しておき、
タイムシフト再生を行う時に、現在の日時からタイムシフト量を差し引いて得られる日時を前記ＵＲＬの検索のための前記放送日時として利用し、現在の日時からタイムシフト量を差し引いて得られる日時と同一の記録日時に対応するチャンネルを前記ＵＲＬの検索のためのチャンネルとして利用することを特徴とするテレビ番組に連動したホームページの表示装置。
【請求項２９】
請求項２８に記載のテレビ番組に連動したホームページの表示装置において、
前記テレビ番組のチャンネルの前記記録日時に対応した記録は、定期的に行うことを特徴とするテレビ番組に連動したホームページの表示装置。
【請求項３０】
請求項２８に記載のテレビ番組に連動したホームページの表示装置において、
前記テレビ番組のチャンネルの前記記録日時に対応した記録は、記録される前記テレビ番組のチャンネルが変化した時に行うことを特徴とするテレビ番組に連動したホームページの表示装置。
【請求項３１】
請求項２８に記載のテレビ番組に連動したホームページの表示装置において、
ＵＲＬを検索する度に、該ＵＲＬに対応したホームページを検索することを特徴とするテレビ番組に連動したホームページの表示装置。
【請求項３２】
請求項２８に記載のテレビ番組に連動したホームページの表示装置において、
今回検索されたＵＲＬが前回検索されたＵＲＬと異なる場合に今回検索された前記ＵＲＬに対応したホームページを検索することを特徴とするテレビ番組に連動したホームページの表示装置。
【請求項３３】
請求項２８に記載のテレビ番組に連動したホームページの表示装置において、
前記テレビ番組のチャンネルを記録日時のみならず記録される前記テレビ番組のファイル名にも対応づけて記録し、
前記タイムシフト再生を行う場合に、現在の日時からタイムシフト量を差し引いて得られる日時と同一の記録日時及びタイムシフト再生を行っている前記テレビ番組のファイル名に対応するチャンネルを前記ＵＲＬの検索のために利用することを特徴とするテレビ番組に連動したホームページの表示装置。
【請求項３４】
請求項２７に記載のテレビ番組に連動したホームページの表示装置において、
予め前記テレビ番組を記録しておき、
前記テレビ番組の記録と共に記録開始日時を記録しておき、
前記テレビ番組の記録と共に該テレビ番組のチャンネルも記録経過時間に対応づけて記録しておき、
記録しておいた前記テレビ番組の再生を行う時に、前記記録開始日時に再生部分の前記記録経過時間を加算することにより得られる日時を前記ＵＲＬの検索のための前記放送日時として利用し、再生部分の前記記録経過時間に対応するチャンネルを前記ＵＲＬの検索のためのチャンネルとして利用することを特徴とするテレビ番組に連動したホームページの表示装置。
【請求項３５】
請求項３４に記載のテレビ番組に連動したホームページの表示装置において、
前記テレビ番組のチャンネルの前記記録経過時間に対応した記録は、定期的に行うことを特徴とするテレビ番組に連動したホームページの表示装置。
【請求項３６】
請求項３４に記載のテレビ番組に連動したホームページの表示装置において、
前記テレビ番組のチャンネルの前記記録経過時間に対応した記録は、記録される前記テレビ番組のチャンネルが変化した時に行うことを特徴とするテレビ番組に連動したホームページの表示装置。
【請求項３７】
請求項３４に記載のテレビ番組に連動したホームページの表示装置において、
ＵＲＬを検索する度に、該ＵＲＬに対応したホームページを検索することを特徴とするテレビ番組に連動したホームページの表示装置。
【請求項３８】
請求項３４に記載のテレビ番組に連動したホームページの表示装置において、
今回検索されたＵＲＬが前回検索されたＵＲＬと異なる場合に今回検索された前記ＵＲＬに対応したホームページを検索することを特徴とするテレビ番組に連動したホームページの表示装置。
【請求項３９】
請求項３４に記載のテレビ番組に連動したホームページの表示装置において、
前記テレビ番組のチャンネルを記録経過時間のみならず記録される前記テレビ番組のファイル名にも対応づけて記録し、
前記再生を行う場合に、再生部分の前記記録経過時間及び再生を行っている前記テレビ番組のファイル名に対応するチャンネルを前記ＵＲＬの検索のために利用することを特徴とするテレビ番組に連動したホームページの表示装置。
【請求項４０】
請求項２７に記載のテレビ番組に連動したホームページの表示装置において、
予め前記テレビ番組を記録しておき、
前記テレビ番組を記録する時の該テレビ番組のチャンネル及び放送日時に対応する記録時ＵＲＬを検索し、
前記テレビ番組の記録と共に前記記録時ＵＲＬも記録経過時間に対応づけて記録しておき、
記録しておいた前記テレビ番組の再生を行う時に、再生部分の前記記録経過時間に対応した前記記録時ＵＲＬにより特定されるホームページを画面に表示することを特徴とするテレビ番組に連動したホームページの表示装置。
【請求項４１】
請求項４０に記載のテレビ番組に連動したホームページの表示装置において、
前記記録時ＵＲＬの前記記録経過時間に対応した記録は、定期的に行うことを特徴とするテレビ番組に連動したホームページの表示装置。
【請求項４２】
請求項４０に記載のテレビ番組に連動したホームページの表示装置において、
前記記録時ＵＲＬの前記記録経過時間に対応した記録は、該記録時ＵＲＬが変化した時に行うことを特徴とするテレビ番組に連動したホームページの表示装置。
【請求項４３】
請求項４０に記載のテレビ番組に連動したホームページの表示装置において、
記録しておいた前記テレビ番組の再生を行う時に、再生部分の前記記録経過時間に対応した前記記録時ＵＲＬにより特定されるホームページを定期的に検索し、検索された前記ホームページを画面に表示することを特徴とするテレビ番組に連動したホームページの表示装置。
【請求項４４】
請求項４０に記載のテレビ番組に連動したホームページの表示装置において、
記録しておいた前記テレビ番組の再生を行う時に、再生部分の前記記録経過時間に対応した前記記録時ＵＲＬが変化した場合に変化後のＵＲＬに対応したホームページを検索し、検索された前記ホームページを画面に表示することを特徴とするテレビ番組に連動したホームページの表示装置。
【請求項４５】
請求項４０に記載のテレビ番組に連動したホームページの表示装置において、
前記ＵＲＬを記録経過時間のみならず記録される前記テレビ番組のファイル名にも対応づけて記録し、
前記再生を行う場合に、再生部分の前記記録経過時間及び再生を行っている前記テレビ番組のファイル名に対応するＵＲＬをホームページ表示のために利用することを特徴とするテレビ番組に連動したホームページの表示装置。
【請求項４６】
請求項２７に記載のテレビ番組に連動したホームページの表示装置において、
予め前記テレビ番組を記録しておき、
前記テレビ番組を記録する時の該テレビ番組のチャンネル及び放送日時に対応する記録時ＵＲＬを検索し、該記録時ＵＲＬにより特定される記録時ホームページを取得し、
前記テレビ番組の記録と共に前記記録時ホームページも記録経過時間に対応づけて記録しておき、
記録しておいた前記テレビ番組の再生を行う時に、再生部分の前記記録経過時間に対応した前記記録時ホームページを画面に表示することを特徴とするテレビ番組に連動したホームページの表示装置。
【請求項４７】
請求項４６に記載のテレビ番組に連動したホームページの表示装置において、
前記記録時ホームページの前記記録経過時間に対応した記録は、定期的に行うことを特徴とするテレビ番組に連動したホームページの表示装置。
【請求項４８】
請求項４６に記載のテレビ番組に連動したホームページの表示装置において、
前記記録時ホームページの前記記録経過時間に対応した記録は、該記録時ホームページが変化した時に行うことを特徴とするテレビ番組に連動したホームページの表示装置。
【請求項４９】
請求項４６に記載のテレビ番組に連動したホームページの表示装置において、
記録しておいた前記テレビ番組の再生を行う時に、再生部分の前記記録経過時間に対応した前記記録時ホームページを定期的に読み出し、読み出された前記ホームページを画面に表示することを特徴とするテレビ番組に連動したホームページの表示装置。
【請求項５０】
請求項４６に記載のテレビ番組に連動したホームページの表示装置において、
記録しておいた前記テレビ番組の再生を行う時に、再生部分の前記記録経過時間に対応した前記記録時ホームページのファイル名が変化した場合に変化後のホームページを読み出し、読み出された前記ホームページを画面に表示することを特徴とするテレビ番組に連動したホームページの表示装置。
【請求項５１】
請求項４６に記載のテレビ番組に連動したホームページの表示装置において、
前記記録時ホームページを記録経過時間のみならず記録される前記テレビ番組のファイル名にも対応づけて記録し、
前記再生を行う場合に、再生部分の前記記録経過時間及び再生を行っている前記テレビ番組のファイル名に対応するホームページを表示することを特徴とするテレビ番組に連動したホームページの表示装置。
【請求項５２】
請求項２７に記載のテレビ番組に連動したホームページの表示装置において、
自動表示モードにおいては、常に前記ホームページの前記画面への表示を行い、手動表示モードにおいては、ユーザにより指示された場合に、前記ホームページの前記画面への表示を行うことを特徴とするテレビ番組に連動したホームページの表示装置。
【請求項５３】
コンピュータに請求項１乃至２６の何れか１項に記載のテレビ番組に連動したホームページの表示方法を行わせるためのプログラム。
【発明の詳細な説明】
【技術分野】
【０００１】
本発明は、画面に表示されているテレビ番組に関連づけられているホームページをそのテレビ番組と同時にその画面に表示するためのテレビ番組に連動したホームページの表示方法及びその装置に関し、特に、画面に表示されているテレビ番組が過去の放送されたものであっても画面に表示されているテレビ番組に関連づけられているホームページをそのテレビ番組と同時にその画面に表示するためのテレビ番組に連動したホームページの表示方法及びその装置に関する。
【背景技術】
【０００２】
現在、多くの放送局は、自局が放送している各テレビ番組に対応したホームページをインターネット等の電気通信回線を介してアクセスすること可能としている。このようなホームページは、テレビ番組に関連した情報を掲載するものであるため、視聴者は、興味に応じてそのようなホームページからテレビ番組に関連した情報を得ることができる。
【０００３】
しかし、視聴者は、そのようなホームページにアクセスするためには、まず、放送局のポータルサイトのポータルページにアクセスし、ホームページの内容を確認しながら、順次ハイパーリンクを辿って、複数のホームページを経由する必要がある。
【０００４】
このような問題点を解決するために、テレビ番組とそれに関連したホームページのＵＲＬとの対応関係を保持したテレビ番組表データを予めテレビに格納しておき、現在受信しているテレビ番組に対応したＵＲＬをテレビ番組表データから検索し、検索されたＵＲＬを有するホームページにアクセスする発明がある（例えば、特許文献１参照）。
【特許文献１】特開平１０−１７７５３２号公報
【発明の開示】
【発明が解決しようとする課題】
【０００５】
しかし、上記発明によれば、例えば、１週間分のテレビ番組表をまるごと予めテレビに格納しておかなければならないため、テレビに少なからざる容量の記憶装置を備えさせる必要が生じ、また、不要な部分を含むテレビ番組表をサーバからテレビにダウンロードするための無駄な通信も発生する。
【０００６】
また、上記発明は、現在放送されているテレビ番組に対応したホームページを表示することのみを目的としているため、過去に受信し、ハードディスクドライブ等に記録したテレビ番組を再生している時に、そのテレビ番組に対応したホームページに必ずしもアクセスできるとは限らない。
【０００７】
すなわち、テレビに格納できるテレビ番組表の容量には限りがあるため、例えば、先週記録したテレビ番組に対応したホームページにアクセスしようとしても、先週のテレビ番組表が既に今週のテレビ番組表により上書きされているため、そのアクセスのためのＵＲＬを取得できない場合が生じる。
【０００８】
また、例え、ＵＲＬを取得できたとしても、そのＵＲＬを有するホームページがＷＷＷサーバから消去されている場合がある。ことに、ＷＷＷサーバの記憶容量の制限のために、数ヶ月前、数年前のホームページをＷＷＷサーバがずっと保持していることは保証できず、従って、数ヶ月前、数年前に記録したテレビ番組に対応するホームページをアクセスすることができるという保証はない。
【０００９】
そこで、本発明は、不要な部分を含むテレビ番組表をユーザ側の装置に格納しておかなくても、テレビ番組に対応したホームページにアクセスすることを可能とするテレビ番組に連動したホームページの表示方法及びその装置を提供することを目的とする。
【００１０】
また、本発明は、過去に記録したテレビ番組に対応したホームページにアクセスすることを可能とするテレビ番組に連動したホームページの表示方法及びその装置を提供することを目的とする。
【課題を解決するための手段】
【００１１】
本発明の第１の観点によれば、画面に表示するテレビ番組のチャンネル及び放送日時に対応するＵＲＬを、前記テレビ番組のチャンネル及び放送日時とＵＲＬとの対応関係を記述したデータであって電気通信回線によりアクセスすることが可能なものから検索し、検索された前記ＵＲＬにより特定されるホームページを画面に表示することを特徴とするテレビ番組に連動したホームページの表示方法が提供される。
【００１２】
本発明の第１の観点によるテレビ番組に連動したホームページの表示方法において、タイムシフト再生のために予め前記テレビ番組を記録しておき、前記テレビ番組の記録と共に該テレビ番組のチャンネルも記録日時に対応づけて記録しておき、タイムシフト再生を行う時に、現在の日時からタイムシフト量を差し引いて得られる日時を前記ＵＲＬの検索のための前記放送日時として利用し、現在の日時からタイムシフト量を差し引いて得られる日時と同一の記録日時に対応するチャンネルを前記ＵＲＬの検索のためのチャンネルとして利用するようにしてもよい。
【００１３】
本発明の第１の観点によるテレビ番組に連動したホームページの表示方法において、前記テレビ番組のチャンネルの前記記録日時に対応した記録は、定期的に行うようにしてもよい。
【００１４】
本発明の第１の観点によるテレビ番組に連動したホームページの表示方法において、前記テレビ番組のチャンネルの前記記録日時に対応した記録は、記録される前記テレビ番組のチャンネルが変化した時に行うようにしてもよい。
【００１５】
本発明の第１の観点によるテレビ番組に連動したホームページの表示方法において、ＵＲＬを検索する度に、該ＵＲＬに対応したホームページを検索するようにしてもよい。
【００１６】
本発明の第１の観点によるテレビ番組に連動したホームページの表示方法において、今回検索されたＵＲＬが前回検索されたＵＲＬと異なる場合に今回検索された前記ＵＲＬに対応したホームページを検索するようにしてもよい。
【００１７】
本発明の第１の観点によるテレビ番組に連動したホームページの表示方法において、前記テレビ番組のチャンネルを記録日時のみならず記録される前記テレビ番組のファイル名にも対応づけて記録し、前記タイムシフト再生を行う場合に、現在の日時からタイムシフト量を差し引いて得られる日時と同一の記録日時及びタイムシフト再生を行っている前記テレビ番組のファイル名に対応するチャンネルを前記ＵＲＬの検索のために利用してもよい。
【００１８】
本発明の第１の観点によるテレビ番組に連動したホームページの表示方法において、予め前記テレビ番組を記録しておき、前記テレビ番組の記録と共に記録開始日時を記録しておき、前記テレビ番組の記録と共に該テレビ番組のチャンネルも記録経過時間に対応づけて記録しておき、記録しておいた前記テレビ番組の再生を行う時に、前記記録開始日時に再生部分の前記記録経過時間を加算することにより得られる日時を前記ＵＲＬの検索のための前記放送日時として利用し、再生部分の前記記録経過時間に対応するチャンネルを前記ＵＲＬの検索のためのチャンネルとして利用するようにしてもよい。
【００１９】
本発明の第１の観点によるテレビ番組に連動したホームページの表示方法において、前記テレビ番組のチャンネルの前記記録経過時間に対応した記録は、定期的に行うようにしてもよい。
【００２０】
本発明の第１の観点によるテレビ番組に連動したホームページの表示方法において、前記テレビ番組のチャンネルの前記記録経過時間に対応した記録は、記録される前記テレビ番組のチャンネルが変化した時に行うようにしてもよい。
【００２１】
本発明の第１の観点によるテレビ番組に連動したホームページの表示方法において、ＵＲＬを検索する度に、該ＵＲＬに対応したホームページを検索するようにしてもよい。
【００２２】
本発明の第１の観点によるテレビ番組に連動したホームページの表示方法において、今回検索されたＵＲＬが前回検索されたＵＲＬと異なる場合に今回検索された前記ＵＲＬに対応したホームページを検索するようにしてもよい。
【００２３】
本発明の第１の観点によるテレビ番組に連動したホームページの表示方法において、前記テレビ番組のチャンネルを記録経過時間のみならず記録される前記テレビ番組のファイル名にも対応づけて記録し、前記再生を行う場合に、再生部分の前記記録経過時間及び再生を行っている前記テレビ番組のファイル名に対応するチャンネルを前記ＵＲＬの検索のために利用するようにしてもよい。
【００２４】
本発明の第１の観点によるテレビ番組に連動したホームページの表示方法において、予め前記テレビ番組を記録しておき、前記テレビ番組を記録する時の該テレビ番組のチャンネル及び放送日時に対応する記録時ＵＲＬを検索し、前記テレビ番組の記録と共に前記記録時ＵＲＬも記録経過時間に対応づけて記録しておき、記録しておいた前記テレビ番組の再生を行う時に、再生部分の前記記録経過時間に対応した前記記録時ＵＲＬにより特定されるホームページを画面に表示するようにしてもよい。
【００２５】
本発明の第１の観点によるテレビ番組に連動したホームページの表示方法において、前記記録時ＵＲＬの前記記録経過時間に対応した記録は、定期的に行うようにしてもよい。
【００２６】
本発明の第１の観点によるテレビ番組に連動したホームページの表示方法において、前記記録時ＵＲＬの前記記録経過時間に対応した記録は、該記録時ＵＲＬが変化した時に行うようにしてもよい。
【００２７】
本発明の第１の観点によるテレビ番組に連動したホームページの表示方法において、記録しておいた前記テレビ番組の再生を行う時に、再生部分の前記記録経過時間に対応した前記記録時ＵＲＬにより特定されるホームページを定期的に検索し、検索された前記ホームページを画面に表示するようにしてもよい。
【００２８】
本発明の第１の観点によるテレビ番組に連動したホームページの表示方法において、記録しておいた前記テレビ番組の再生を行う時に、再生部分の前記記録経過時間に対応した前記記録時ＵＲＬが変化した場合に変化後のＵＲＬに対応したホームページを検索し、検索された前記ホームページを画面に表示するようにしてもよい。
【００２９】
本発明の第１の観点によるテレビ番組に連動したホームページの表示方法において、前記ＵＲＬを記録経過時間のみならず記録される前記テレビ番組のファイル名にも対応づけて記録し、前記再生を行う場合に、再生部分の前記記録経過時間及び再生を行っている前記テレビ番組のファイル名に対応するＵＲＬをホームページ表示のために利用するようにしてもよい。
【００３０】
本発明の第１の観点によるテレビ番組に連動したホームページの表示方法において、予め前記テレビ番組を記録しておき、前記テレビ番組を記録する時の該テレビ番組のチャンネル及び放送日時に対応する記録時ＵＲＬを検索し、該記録時ＵＲＬにより特定される記録時ホームページを取得し、前記テレビ番組の記録と共に前記記録時ホームページも記録経過時間に対応づけて記録しておき、記録しておいた前記テレビ番組の再生を行う時に、再生部分の前記記録経過時間に対応した前記記録時ホームページを画面に表示するようにしてもよい。
【００３１】
本発明の第１の観点によるテレビ番組に連動したホームページの表示方法において、前記記録時ホームページの前記記録経過時間に対応した記録は、定期的に行うようにしてもよい。
【００３２】
本発明の第１の観点によるテレビ番組に連動したホームページの表示方法において、前記記録時ホームページの前記記録経過時間に対応した記録は、該記録時ホームページが変化した時に行うようにしてもよい。
【００３３】
本発明の第１の観点によるテレビ番組に連動したホームページの表示方法において、記録しておいた前記テレビ番組の再生を行う時に、再生部分の前記記録経過時間に対応した前記記録時ホームページを定期的に読み出し、読み出された前記ホームページを画面に表示するようにしてもよい。
本発明の第１の観点によるテレビ番組に連動したホームページの表示方法において、記録しておいた前記テレビ番組の再生を行う時に、再生部分の前記記録経過時間に対応した前記記録時ホームページのファイル名が変化した場合に変化後のホームページを読み出し、読み出された前記ホームページを画面に表示するようにしてもよい。
【００３４】
本発明の第１の観点によるテレビ番組に連動したホームページの表示方法において、前記記録時ホームページを記録経過時間のみならず記録される前記テレビ番組のファイル名にも対応づけて記録し、前記再生を行う場合に、再生部分の前記記録経過時間及び再生を行っている前記テレビ番組のファイル名に対応するホームページを表示するようにしてもよい。
【００３５】
本発明の第１の観点によるテレビ番組に連動したホームページの表示方法において、自動表示モードにおいては、常に前記ホームページの前記画面への表示を行い、手動表示モードにおいては、ユーザにより指示された場合に、前記ホームページの前記画面への表示を行うようにしてもよい。
【００３６】
本発明の第２の観点によれば、画面に表示するテレビ番組のチャンネル及び放送日時に対応するＵＲＬを、前記テレビ番組のチャンネル及び放送日時とＵＲＬとの対応関係を記述したデータであって電気通信回線によりアクセスすることが可能なものから検索し、検索された前記ＵＲＬにより特定されるホームページを画面に表示することを特徴とするテレビ番組に連動したホームページの表示装置が提供される。
【発明の効果】
【００３７】
本発明によれば、画面に表示するテレビ番組のチャンネル及び放送日時に対応するＵＲＬを、前記テレビ番組のチャンネル及び放送日時とＵＲＬとの対応関係を記述したデータであって電気通信回線によりアクセスすることが可能なものから検索し、検索された前記ＵＲＬにより特定されるホームページを画面に表示するので、不要な部分を含むテレビ番組表をユーザ側の装置に格納しておかなくて済む。
【発明を実施するための最良の形態】
【００３８】
以下、図面を参照して本発明を実施するための最良の形態について詳細に説明する。
【００３９】
本発明は、図１に示すように、パーソナルコンピュータの画面１１にテレビ番組を含むウィンドウ１２とそのテレビ番組に関連づけられたホームページを含むウィンドウ１５を同時に表示するものである。
【００４０】
［実施形態１］
実施形態１では、現在放送されているテレビ番組を含むウィンドウ１２とそのテレビ番組に関連づけられたホームページを含むウィンドウ１５を同時に表示する。
【００４１】
図２は、実施形態１によるテレビ番組に連動したホームページの表示装置及びこれに接続されているサーバの構成を示すブロック図である。
【００４２】
図２を参照すると、実施形態１によるテレビ番組に連動したホームページの表示装置は、時計１０１、現在日時検出部１０２、チューナ部１０３、テレビ番組表示部１０４、チャンネル検出部１０５、クライアント側問い合わせ部１０６、ＵＲＬ変化検出部１１７、ＷＷＷ(World Wide Web)ブラウザ１０７及びディスプレイ１０８を備える。第１のサーバは、サーバ側問合せ部１９７、ＥＰＧ−ＵＲＬデータ格納部１９８及びホームページ表示／非表示制御部６０１を備える。第２のサーバは、ＷＷＷサーバ１９９である。
【００４３】
第１のサーバは、例えば、メーカ、インターネット事業者、放送局等の事業者又はその関連者が保有し又は借りるものであり、そのような者が保有し又は借りる構内に設置され、インターネット等の電気通信回線を通じてパーソナルコンピュータ等の装置からアクセスすることができる。
【００４４】
ＥＰＧ−ＵＲＬ格納部１９８には、図３に示すようなＥＰＧ−ＵＲＬデータ１９８−１が格納されている。図３を参照すると、例として、２チャンネル（チャンネルＡ及びチャンネルＢ）分のデータが示されているが、このデータには、チャンネル毎に時間帯毎のテレビ番組のタイトル２３、出演者（図示せず）等とこのテレビ番組に対応するホームページのＵＲＬ２４が含まれている。従って、ＥＰＧ−ＵＲＬデータ１９８−１を参照することにより、指定した日時及び指定したチャンネルに対応したホームページのＵＲＬを得ることができる。
【００４５】
時計１０１は、刻々と現在の日時を出力する。現在日時検出部１０２は、時計１０１の出力を基に現在の日時を検出する。チューナ部１０３は、放送されてきたテレビ番組を受信する。チューナ部１０３は、例えば、アナログＶＨＦチューナ、アナログＵＨＦチューナ、地上波デジタル放送チューナ、ＢＳ衛星放送チューナ、ＣＳ衛星放送チューナ等である。テレビ番組表示部１０４は、チューナ部１０３が受信したテレビ番組の信号を基にディスプレイ１０８にテレビ番組を表示する。チャンネル検出部１０５は、チューナ部１０３が現在受信しているテレビ番組のチャンネルを検出する。クライアント側問合せ部１０６は、現在日時検出部１０２が検出した現在の日時及びチャンネル検出部１０５が検出したチャンネルに対応するホームページのＵＲＬをＥＰＧ−ＵＲＬデータ１９８−１から検索するように、インターネット等の電気通信回線を介して、サーバ側問合せ部１９７に要求して、そのＵＲＬを受信する。クライアント側問合せ部１０６は、例えば、ｈｔｔｐクライアントを備える。ＵＲＬ変化検出部１１７は、クライアント側問合せ部１０６が受信したＵＲＬが変化したか否かを検出する。ＷＷＷブラウザ１０７は、クライアント側問合せ部１０６が受信したＵＲＬを有するホームページを、インターネット等の電気通信回線を介して、ＷＷＷサーバ１９９から取得し、ディスプレイ１０８に表示する。ディスプレイ１０８は、テレビ番組及びホームページを同時に表示する。
【００４６】
サーバ側問合せ部１９７は、クライアント側問合せ部１０６から受信した日時及びチャンネルに対応したホームページのＵＲＬをＥＰＧ−ＵＲＬデータ１９８−１から検索し、クライアント側問合せ部１０６に送信する。サーバ側問合せ部１９７は、例えば、ｈｔｔｐデーモン及びＣＧＩプログラムを備える。ＣＧＩプログラムは、例えば、ＳＱＬ等の問合わせ言語を用いて、ＥＰＧ−ＵＲＬデータ１９８−１から指定した日時及びチャンネルに対応したＵＲＬを検索する。
【００４７】
ホームページ表示／非表示制御部６０１は、テレビ番組と同時にそれに関連付けられたホームページを表示するか否かを制御する。
【００４８】
ＷＷＷサーバ１９９は、ＷＷＷブラウザ１０７により指定されたＵＲＬを有するホームページをＷＷＷブラウザ１０７に送信する。
【００４９】
次に、実施形態１によるテレビ番組に連動したホームページの表示装置により行われるテレビ番組に連動したホームページの表示方法について説明する。
【００５０】
図４を参照すると、まず、チューナ部１０３がテレビ番組を受信し（ステップＳ２０１）、テレビ番組表示部１０４がテレビ番組を表示する（ステップＳ２０３）。
【００５１】
次に、ホームページ表示／非表示制御部６０１は、ホームページ表示フラグがセットされているか否かを判断する（ステップＳ６５１）。セットされていなければ（ステップＳ６５１でＮＯ）、ステップＳ２０１に戻り、セットされていれば（ステップＳ６５１でＹＥＳ）、ステップＳ２０５に進む。
【００５２】
ステップＳ２０５では、現在日時検出部１０２は、現在の日時を検出する（ステップＳ２０５）。
【００５３】
次に、チャンネル検出部１０５は、現在受信しているテレビ番組のチャンネルを検出する（ステップＳ２０７）。
【００５４】
次に、クライアント側問合せ部１０６は、ステップＳ２０５で検出した現在の日時及びステップＳ２０７で検出したチャンネルに対応するホームページのＵＲＬをサーバ側問合せ部１９７に問い合わせる（ステップＳ２０９）。
【００５５】
次に、サーバ側問合せ部１９７は、ステップＳ２０９で受信した現在の日時及びチャンネルに対応するホームページのＵＲＬをＥＰＧ−ＵＲＬデータ１９８−１から検索する（ステップＳ２１１）。
【００５６】
次に、サーバ側問合せ部１９７は、ステップＳ２１１で検索したＵＲＬをクライアント側問合せ部１０６に送信する（ステップＳ２１３）。
【００５７】
次に、ＵＲＬ変化検出部１１７は、今回ステップＳ２１３で受信したＵＲＬが前回ステップＳ２１３で受信したＵＲＬと異なっているか否かを判断する（ステップＳ２１５）。
【００５８】
異なっている場合には（ステップＳ２１５でＹＥＳ）、ＷＷＷブラウザ１０７は、ステップＳ２１３でクライアント側問合せ部１０６が受信したＵＲＬを有するホームページの送信をＷＷＷサーバ１９９に要求する（ステップＳ２１５）。
【００５９】
次に、ＷＷＷサーバ１９９は、ステップＳ２１５で受信したＵＲＬを有するホームページをＷＷＷブラウザ１０７に送信する（ステップＳ２１７）。
【００６０】
次に、ＷＷＷブラウザ１０７は、ステップＳ２１７で受信したホームページをディスプレイ１０８に表示する。
【００６１】
ステップＳ２０１及びＳ２０３は、同時に継続的に行われる。ステップＳ２０５乃至Ｓ２１９を、例えば、１分毎に繰り返し行うことにより、途中でチャンネルが変更されたり、途中でテレビ番組が変更された場合であっても、新たなチャンネル、テレビ番組に対応したホームページを表示することが可能となる。
【００６２】
また、無駄な通信が行われることとなるが、ステップＳ２１５を削除し、ステップＳ２１３の次に必ずステップＳ２１７を実行するようにしても良い。
【００６３】
ここで、ステップＳ６５１でチェックされるホームページ表示フラグの設定方法について説明する。
【００６４】
テレビ番組を含むウィンドウ１２には、ホームページ表示ボタン１６も設けられている。表示モードが自動表示モードである場合には、ホームページ表示ボタン１６の状態は表示状態であり、また、ホームページ表示フラグがセットされている。表示モードが手動表示モードである場合には、ホームページ表示ボタン１６が押される度に、ホームページ表示ボタン１６の状態は、表示状態と非表示状態との間をトグルし、ホームページ表示フラグもセットとリセットの間をトグルする。ここで、表示状態にあるホームページ表示ボタン１６とは、例えば、第１の所定の色（例えば、赤）及び第１の所定の模様（例えば、目立つ模様）で表示された状態にあるホームページ表示ボタン１６のことであり、非表示状態にあるホームページ表示ボタン１６とは、例えば、第２の所定の色（例えば、茶色）及び第２の所定の模様（例えば、目立たない模様）で表示された状態にあるホームページ表示ボタン１６のことである。
【００６５】
図２４は、ホームページ表示／非表示制御部６０１の表示モードの切り替えに伴う動作を説明するためのフローチャートである。図２４を参照すると、ホームページ表示／非表示制御部６０１は、所定のダイアログボックス（図示せず）又はメニュー（図示せず）等により表示モードが自動に変更されたか否かを判断する（ステップＳ６６１）。そうであれば（ステップＳ６６１でＹＥＳ）、ホームページ表示フラグをセットし（ステップＳ６６３）、ホームページ表示ボタン１６の状態を表示状態にする（ステップＳ６６５）。
【００６６】
また、ホームページ表示／非表示制御部６０１は、所定のダイアログボックス（図示せず）又はメニュー（図示せず）等により表示モードが手動に変更されたか否かを判断する（ステップＳ６７１）。そうであれば（ステップＳ６７１でＹＥＳ）、ホームページ表示フラグをリセットし（ステップＳ６７３）、ホームページ表示ボタン１６の状態を非表示状態にする（ステップＳ６７５）。
【００６７】
図２５は、ホームページ表示／非表示制御部６０１の動作のホームページ表示ボタン１６が押された場合の動作を説明するためのフローチャートである。図２５を参照すると、まず、ホームページ表示ボタン６６１が押されたか否かを判断する（ステップＳ６６１）。押されたならば（ステップＳ６６１でＹＥＳ）、表示モードは手動表示モードであるか否かを判断する（ステップＳ６６３）。表示モードが自動表示モードである場合には（ステップＳ６６３でＮＯ）、ステップＳ６６１に戻る。
【００６８】
表示モードが手動表示モードである場合には、ホームページ表示ボタン１６の現在の状態は非表示状態であるか否かを判断する（ステップＳ６６５）。
【００６９】
ホームページ表示ボタン１６の現在の状態が非表示状態である場合には（ステップＳ６６５でＹＥＳ）、ホームページ表示フラグをセットし（ステップＳ６６７）、ホームページ表示ボタン１６の状態を表示状態にする（ステップＳ６６９）。
【００７０】
ホームページ表示ボタン１６の現在の状態が表示状態である場合には（ステップＳ６６５でＮＯ）、ホームページ表示フラグをリセットし（ステップＳ６７１）、ホームページ表示ボタン１６の状態を非表示状態にする（ステップＳ６７３）。
【００７１】
実施形態１によれば、ＥＰＧ−ＵＲＬデータ１９８−１が提供され、現在の日時及び現在受信しているテレビ番組のチャンネルに対応するホームページのＵＲＬをＥＰＧ−ＵＲＬデータ１９８−１から検索することができるので、ユーザが手作業によりわざわざテレビ局により提供される複数のホームページを辿って、現在の日時及び現在受信しているテレビ番組のチャンネルに対応するホームページに辿り着くことを回避することができる。また、パーソナルコンピュータがＥＰＧ−ＵＲＬデータを格納していなくてもよい。一方、パーソナルコンピュータがＥＰＧ−ＵＲＬデータを格納することとなると、例えば、１週間分の全チャンネルの全テレビ番組に関するＥＰＧ−ＵＲＬデータを格納しなければならなくなり、ハードディスクドライブ等の記憶装置の容量を少なからず消費することとなり、冗長な通信も必要となる。従って、実施形態１によれば、パーソナルコンピュータに接続された記憶装置の容量を節約することができ、また、通信の効率を高めることができる。
【００７２】
［実施形態２］
実施形態２では、タイムシフト再生されたテレビ番組を含むウィンドウ１２とそのテレビ番組に関連づけられたホームページを含むウィンドウ１５を同時に表示する。ここで、タイムシフト再生とは、現在受信しているテレビ番組を記録しながら、例えば、数分前や数十分前に記録されたテレビ番組を再生することである。ＡＲＩＢの規格によれば、ネバーコピーのコンテンツであっても９０分以内であればタイムシフト再生を行ってもよいこととなっている。
【００７３】
図５は、実施形態２によるテレビ番組に連動したホームページの表示装置及びこれに接続されているサーバの構成を示すブロック図である。
【００７４】
図５を参照すると、実施形態２によるテレビ番組に連動したホームページの表示装置は、時計１０１、現在日時検出部１０２、チューナ部１０３、チャンネル検出部１０５、クライアント側問い合わせ部１０６、ＷＷＷブラウザ１０７、ディスプレイ１０８、番組データ記録部１０９、番組データ格納部１１０、日時対受信チャンネル情報記録部１１１、日時対受信チャンネル情報格納部１１２、タイムシフト量入力部１１３、番組データ再生部１１４、日時対受信チャンネル情報検索部１１５、再生日時検出部１１６、ＵＲＬ変化検出部１１７及びホームページ表示／非表示制御部６０１ホームページ表示／非表示制御部６０１を備える。第１のサーバは、サーバ側問合せ部１９７及びＥＰＧ−ＵＲＬデータ格納部１９８を備える。第２のサーバは、ＷＷＷサーバ１９９である。
【００７５】
次に、実施形態２の各部のうち実施形態１と異なる部分を説明する。
【００７６】
番組データ記録部１０９は、チューナ部１０３が受信したテレビ番組を番組データ格納部１１０に記録する。
【００７７】
番組データ格納部１１０は、番組データを内部に格納する。番組データ格納部１１０は、例えば、ハードディスクドライブ等の記憶装置に設けられる。
【００７８】
日時対受信チャンネル情報記録部１１１は、番組データ記録部１０９が番組データ格納部１１０に格納した番組データに付したファイル名、現在日時検出部１０２が検出した現在の日時及びチャンネル検出部１０５が検出した現在受信しているテレビ番組のチャンネルを関連づけて得られる日時対受信チャンネル情報１１２−１を日時対受信チャンネル情報格納部１１２に格納する。
【００７９】
日時対受信チャンネル情報１１２−１の例を図６に示す。符号３２で示すのは番組データ１１０に付したファイル名であり、符号３３で示すのは現在の日時であり、符号３４で示すのは現在受信しているテレビ番組のチャンネルである。
【００８０】
日時対受信チャンネル情報格納部１１２は、日時対受信チャンネル情報を内部に格納する。日時対受信チャンネル情報格納部１１２は、例えば、ハードディスクドライブ等の記憶装置に設けられる。
【００８１】
タイムシフト量入力部１１３は、ユーザインタフェースを備え、ユーザが指定するタイムシフト量を入力する。
【００８２】
番組データ再生部１１４は、番組データ格納部１１０に格納されている番組データのうちの現在の日時からタイムシフト量を差し引いた日時の部分を再生する。
【００８３】
再生日時検出部１１６は、現在日時検出部１０２が検出した現在の日時からタイムシフト量を差し引くことにより番組データのうちの現在再生されている部分の記録日時を再生日時として検出する。番組データの各部に、記録日時ではなく、ファイル内記録経過時間が記録されている場合には、番組データ再生部１１４は、番組データ記録部１０９が現在発生しているファイル内記録経過時間及びタイムシフト量を基に再生すべき部分のファイル内記録経過時間を算出し、このファイル内記録経過時間の部分を再生する。この場合には、再生日時検出部１１６が必要となる。番組データの各部に記録日時が記録されており、番組データ再生部１１４が現在の日時及びタイムシフト量を基に再生すべき部分の記録日時を算出し、この記録日時の部分を再生する場合には、番組データ再生部１１４が再生日時検出部１１６を兼ねることとなるので、再生日時検出部１１６を特に設けなくても良い。
【００８４】
日時対受信チャンネル情報検索部１１５は、番組データ再生部１１４が現在再生している番組データのファイル名及び再生日時検出部１１６が検出した再生日時に対応したチャンネルを日時対受信チャンネル情報１１２−１から検索する。
【００８５】
次に、実施形態２によるテレビ番組に連動したホームページの表示装置により行われるテレビ番組に連動したホームページの表示方法について説明する。図７を参照して記録時の方法を説明し、図８を参照して再生時の方法を説明する。
【００８６】
図７を参照すると、まず、チューナ部１０３は、テレビ番組を受信する（ステップＳ２３１）。
【００８７】
次に、番組データ記録部１０９は、ステップＳ２３１で受信したテレビ番組を番組データ１１０として記録する（ステップＳ２３３）。
【００８８】
次に、チャンネル検出部１０５は、ステップＳ２３１で受信したテレビ番組のチャンネルを検出する（ステップＳ２３５）。
【００８９】
次に、チャンネル検出部１０５は、今回ステップＳ２３５を実行した時に検出されたチャンネルが前回ステップＳ２３５を実行したときに検出されたチャンネルと異なっているか否かを判断する（ステップＳ２３７）。
【００９０】
異なっていれば（ステップＳ２３７でＹＥＳ）、日時検出部１０２は、現在の日時を検出し（ステップＳ２３９）、日時対受信チャンネル情報記録部１１１は、番組データ記録部１０９が番組データに付したファイル名、ステップＳ２３５で検出したチャンネル及びステップＳ２３９で検出した現在の日時を対応づけてこれらを日時対受信チャンネル情報格納部１１２に追記する（ステップＳ２４１）。
【００９１】
ステップＳ２３１及びＳ２３３は、並列して継続的に行う。ステップＳ２３５乃至Ｓ２４１は、例えば、１分毎に繰り返し行う。日時対受信チャンネル情報１１２−１の容量が不要に大きくなるが、ステップ２３７の判断を省略し、ステップＳ２３５の後に必ずステップＳ２３９及びＳ２４１を行うようにしても良い。
【００９２】
図８を参照すると、まず、現在日時検出部１０２は、現在の日時を検出する（ステップＳ２６１）。
【００９３】
次に、タイムシフト量入力部１１３は、現在ユーザから入力されているタイムシフト量を検出する（ステップＳ２６３）。
【００９４】
次に、再生日時検出部１１６は、ステップＳ２６１で検出した現在の日時からステップＳ２６３で検出したタイムシフト量を差し引くことにより再生日時を算出する（ステップＳ２６５）。
【００９５】
次に、番組データ再生部１１４は、番組データ１１０に格納されている番組データのうちステップＳ２６５で算出した再生日時の部分を再生する（ステップＳ２６７）。但し、番組データの各日時に記録された部分に記録日時が付されておらず、番組データ内での記録経過時間が付されている場合には、現在番組データ記録部１０９が記録している部分の記録経過時間からタイムシフト量を差し引いて得られる値の記録経過時間が付されている部分を再生する。
【００９６】
次に、番組データ再生部１１４は、ステップＳ２６７で再生した番組データに従ってテレビ番組をディスプレイ１０８に表示する（ステップＳ２６９）。
【００９７】
次に、ホームページ表示／非表示制御部６０１は、ホームページ表示フラグがセットされているか否かを判断する（ステップＳ６５１）。セットされていなければ（ステップＳ６５１でＮＯ）、ステップＳ２６１に戻り、セットされていれば（ステップＳ６５１でＹＥＳ）、ステップＳ２７１に進む。
【００９８】
ステップＳ２７１及びＳ２７３では、日時対受信チャンネル情報検索部１１５は、ステップＳ２６７で再生した番組データに付されているファイル名及びステップＳ２６５で算出した再生時刻に対応した再生チャンネルを日時対受信チャンネル情報１１２−１から検索する。
【００９９】
次に、クライアント側問合せ部１０６は、ステップＳ２６５で算出した再生日時及びステップ２７３で検索した再生チャンネルに対応したホームページのＵＲＬの送信をサーバ側問合せ部１９７に要求する（ステップＳ２７５）。
【０１００】
次に、サーバ側問合せ部１９７は、ステップＳ２７５で受信した再生日時及び再生チャンネルに対応したホームページのＵＲＬをＥＰＧ−ＵＲＬデータ１９８−１から検索する（ステップＳ２７７）。
【０１０１】
次に、サーバ側問合せ部１９７は、ステップＳ２７７で検索したＵＲＬをクライアント側問合せ部１０６に送信する（ステップＳ２７９）。
【０１０２】
次に、ＵＲＬ変化検出部１１７は、今回ステップＳ２７９で受信したＵＲＬが前回ステップＳ２７９で受信したＵＲＬと異なっているか否かを判断する（ステップＳ２８１）。
【０１０３】
異なっていれば（ステップＳ２８１でＹＥＳ）、ＷＷＷブラウザ１０７は、ステップＳ２７９で受信したＵＲＬを有するホームページの送信をＷＷＷサーバ１９９に要求する（ステップＳ２８３）。
【０１０４】
次に、ＷＷＷサーバ１９９は、ステップＳ２８３で受信したＵＲＬを有するホームページをＷＷＷブラウザ１０７に送信する（ステップＳ２８５）。
【０１０５】
次に、ＷＷＷブラウザ１０７は、ステップＳ２８５で受信したホームページをディスプレイ１０８に表示する（ステップＳ２８７）。
【０１０６】
ステップ２６１乃至Ｓ２８７は、例えば、１分毎に繰り返し行う。また、不要な通信を発生することとなるが、ステップＳ２８１を実行せずに、ステップＳ２７９の次に必ずステップＳ２８３乃至２８７を実行しても良い。
【０１０７】
また、日時対受信チャンネル情報１１２−１を番組データと別個に用意する代わりに、例えば、番組データに定期的に（例えば、１秒ごと、１分毎）に受信チャンネルを付したり、番組データの先頭部分及び受信チャンネルが変化した部分に受信チャンネルを付したりしても良い。
【０１０８】
実施形態２によれば、タイムシフト再生を行う場合であっても、現在再生しているテレビ番組に対応したホームページをそのテレビ番組と同時に表示することが可能となる。また、タイムシフトのための記録の最中にチャンネルを変更しても、現在再生しているテレビ番組に正しく対応したホームページをそのテレビ番組と同時に表示することが可能となる。更に、同一チャンネル内でテレビ番組が変化した場合であっても、現在再生しているテレビ番組に正しく対応したホームページをそのテレビ番組と同時に表示することが可能となる。
【０１０９】
［実施形態３］
実施形態３では、過去に記録され、現在再生されているテレビ番組を含むウィンドウ１２とそのテレビ番組に関連づけられたホームページを含むウィンドウ１５を同時に表示する。実施形態３は、例えば、昨日記録したテレビ番組を再生する状況を想定したものである。
【０１１０】
図９は、実施形態３によるテレビ番組に連動したホームページの表示装置及びこれに接続されているサーバの構成を示すブロック図である。
【０１１１】
図９を参照すると、実施形態３によるテレビ番組に連動したホームページの表示装置は、時計１０１、現在日時検出部１０２、チューナ部１０３、チャンネル検出部１０５、クライアント側問い合わせ部１０６、ＷＷＷブラウザ１０７、ディスプレイ１０８、番組データ記録部１０９、番組データ格納部１１０、日時対受信チャンネル情報記録部１１１、日時対受信チャンネル情報格納部１１２、番組データ再生部１１４、日時対受信チャンネル情報検索部１１５、再生日時検出部１１６、ＵＲＬ変化検出部１１７及びホームページ表示／非表示制御部６０１を備える。第１のサーバは、サーバ側問合せ部１９７及びＥＰＧ−ＵＲＬデータ格納部１９８を備える。第２のサーバは、ＷＷＷサーバ１９９である。
【０１１２】
実施形態３の各部は、実施形態２の各部と同様であるので、これらの説明を省略する。
【０１１３】
但し、実施形態２では、再生日時検出部１１６は、現在の日時からタイムシフト量を差し引くことにより再生日時を算出するのに対し、実施形態３では、再生日時検出部１１６は、番組データの各部に記録されている記録日時のうち番組データ再生部１１４が再生している部分の記録日時を再生日時として検出する。
【０１１４】
次に、実施形態３によるテレビ番組に連動したホームページの表示装置により行われるテレビ番組に連動したホームページの表示方法について説明する。
【０１１５】
記録時の方法は、図７を参照して説明した実施形態２におけるものと同一であるので説明を省略する。
【０１１６】
図１０を参照して再生時の方法を説明する。
【０１１７】
図１０を参照すると、まず、番組データ再生部１１４は、番組データ１１０を再生し（ステップＳ３０１）、ディスプレイ１０８に表示する（ステップＳ３０３）。
【０１１８】
次に、ホームページ表示／非表示制御部６０１は、ホームページ表示フラグがセットされているか否かを判断する（ステップＳ６５１）。セットされていなければ（ステップＳ６５１でＮＯ）、ステップＳ３０１に戻り、セットされていれば（ステップＳ６５１でＹＥＳ）、ステップＳ３０５に進む。
【０１１９】
ステップＳ３０５では、再生日時検出部１１６は、番組データ再生部１１４が再生した番組データに含まれている記録日時のうちの現在の再生部分のものを再生日時として検出する。これは、番組データ１１０に例えば、１秒毎、１分毎に記録日時が付されていることを前提としたものである。番組データ１１０に記録日時が付されていない場合であっても、番組データ１１０には記録経過時間が例えば１秒毎、１分毎に付されているので、番組データ１１０のファイル名と記録開始日時との対応関係を記録しておくことにより、記録開始日時及び現在の再生部分の記録経過時間を基に、再生日時を検出することができる。
【０１２０】
ステップＳ３０５からステップＳ２７１に進むが、ステップＳ２７１乃至Ｓ２８７は、実施形態２のものと同一であるので説明を省略する。
【０１２１】
ステップ３０１乃至Ｓ２８７は、例えば、１分毎に繰り返し行う。
【０１２２】
また、図６に示すような構成の日時対受信チャンネル情報１１２−１の代わりに、図１１に示すような構成の情報１１２−２をテレビ番組の記録時に作成しておき、これを利用することによっても、日時対受信チャンネル情報検索部１１５は、番組データの現在の再生部分に対応したチャンネルを知ることができる。すなわち、再生日時検出部１１６から入力した再生日時と符号３６が付されている記録開始時間を基に記録経過時間を算出し、これを符号３８が付されている記録経過時間と照らし合わせることによりチャンネルを検出することができる。
【０１２３】
また、日時対受信チャンネル情報１１２−１又は情報１１２−２を番組データと別個に用意する代わりに、例えば、番組データに定期的に（例えば、１秒ごと、１分毎）に受信チャンネルを付したり、番組データの先頭部分及び受信チャンネルが変化した部分に受信チャンネルを付したりしても良い。
【０１２４】
実施形態３によれば、過去に記録したテレビ番組を再生する場合であっても、現在再生しているテレビ番組に対応したホームページをそのテレビ番組と同時に表示することが可能となる。また、記録の最中にチャンネルを変更しても、現在再生しているテレビ番組に正しく対応したホームページをそのテレビ番組と同時に表示することが可能となる。更に、同一チャンネル内でテレビ番組が変化した場合であっても、現在再生しているテレビ番組に正しく対応したホームページをそのテレビ番組と同時に表示することが可能となる。
【０１２５】
［実施形態４］
実施形態４では、実施形態３と同様に、過去に記録され、現在再生されているテレビ番組を含むウィンドウ１２とそのテレビ番組に関連づけられたホームページを含むウィンドウ１５を同時に表示する。実施形態４は、例えば記録してから短時間乃至長期間経過した後にテレビ番組を再生する状況を想定したものである。
【０１２６】
図１２は、実施形態４によるテレビ番組に連動したホームページの表示装置及びこれに接続されているサーバの構成を示すブロック図である。
【０１２７】
図１２を参照すると、実施形態４によるテレビ番組に連動したホームページの表示装置は、時計１０１、現在日時検出部１０２、チューナ部１０３、チャンネル検出部１０５、クライアント側問い合わせ部１０６、ＷＷＷブラウザ１０７、ディスプレイ１０８、番組データ記録部１０９、番組データ格納部１１０、番組データ再生部１１４、ＵＲＬ変化検出部１１７、ＵＲＬ情報記録部１１８、ＵＲＬ情報格納部１１９、ファイル内時間検出部１２０及びＵＲＬ情報検索部１２１を備える。第１のサーバは、サーバ側問合せ部１９７、ＥＰＧ−ＵＲＬデータ格納部１９８及びホームページ表示／非表示制御部６０１を備える。第２のサーバは、ＷＷＷサーバ１９９である。
【０１２８】
次に、実施形態４の各部のうち実施形態１乃至３と異なる部分を説明する。
【０１２９】
ＵＲＬ変化検出部１１７は、テレビ番組の記録時には、クライアント側問合せ部１０６から継続的に入力しているＵＲＬが今回変化したか否かを検出し、テレビ番組の再生時には、ＵＲＬ情報検索部１２１から継続的に入力しているＵＲＬが今回変化したか否かを検出する。
【０１３０】
ＵＲＬ情報記録部１１８は、テレビ番組の記録の最中においてＵＲＬ変化検出部１１７がＵＲＬの変化を検出した時に、番組データ記録部１０９が番組データに付したファイル名、現在日時検出部１０２から入力した現在日時を基に算出した記録経過時間及びＵＲＬ変化検出部１１７から入力したＵＲＬを関連づけることによりＵＲＬ情報１１９−１を作成し、これをＵＲＬ情報格納部１１９に記録する。ＵＲＬ情報１１９−１は、図１３（ａ）に示すような構成を有する。
【０１３１】
ＵＲＬ情報格納部１１９は、内部にＵＲＬ情報を格納する。ＵＲＬ情報格納部１１９は、例えば、ハードディスクドライブ等の記憶装置に設けられる。
【０１３２】
ファイル内時間検出部１２０は、番組データ１１０のうちの番組データ再生部１１４が現在再生している部分の記録経過時間であるファイル内時間を検出する。
【０１３３】
ＵＲＬ情報検索部１２１は、番組データ再生部１１４から入力した番組データのファイル名及びファイル内時間検出部１２０が検出したファイル内時間に対応したＵＲＬをＵＲＬ情報１１９−１から検索する。
【０１３４】
次に、実施形態４によるテレビ番組に連動したホームページの表示装置により行われるテレビ番組に連動したホームページの表示方法について説明する。図１４を参照して記録時の方法を説明し、図１５を参照して再生時の方法を説明する。
【０１３５】
図１４を参照すると、ステップＳ２０１乃至２１３は、図４を参照して説明した実施形態１のものと同一であるので説明を省略する。
【０１３６】
ステップＳ２１３でクライアント側問合せ部１０６がＵＲＬを受信したならば、ＵＲＬ変化検出部１１７は、今回ステップＳ２１３で受信したＵＲＬが前回ステップＳ２１３で受信したＵＲＬと異なるか否かを判断する（ステップＳ３５５）。
【０１３７】
異なっていれば（ステップＳ３５５でＹＥＳ）、ＵＲＬ情報記録部１１８は、ＵＲＬ情報１１９−１に番組データのファイル名、記録経過時間及びＵＲＬより成る１レコードを追加する（ステップＳ３５７）。
【０１３８】
ステップＳ２０１及びＳ２０３は並列して継続的に行う。ステップＳ２０５乃至Ｓ３５７は、例えば、１分毎に継続的に行う。
【０１３９】
図１５を参照すると、ステップＳ３０１及びＳ３０３は、図１０を参照して説明した実施形態３のものと同一であるので説明を省略する。
【０１４０】
ステップＳ３０１及びＳ３０３でテレビ番組の再生及び表示を行ったならば、ホームページ表示／非表示制御部６０１は、ホームページ表示フラグがセットされているか否かを判断する（ステップＳ６５１）。セットされていなければ（ステップＳ６５１でＮＯ）、ステップＳ３０１に戻り、セットされていれば（ステップＳ６５１でＹＥＳ）、ステップＳ４０５に進む。
【０１４１】
ステップＳ４０５では、ファイル内時間検出部１２０は、番組データのうちの現在再生している部分のファイル内時間を検出する。
【０１４２】
次に、ＵＲＬ情報検索部１２１は、再生している番組データのファイル名及びステップＳ４０５で検出したファイル内時間に対応したＵＲＬをＵＲＬ情報１１９−１から検索する（ステップＳ４０７）。
【０１４３】
ステップＳ４０７の後に行われるステップＳ２８１乃至２８７は、図８を参照して説明した実施形態２のものと同一であるので説明を省略する。
【０１４４】
ステップＳ３０１及びＳ３０３は並列して継続的に行う。ステップＳ４０５乃至Ｓ２８７は、例えば１分毎に繰り返し行う。
【０１４５】
なお、ＵＲＬ情報が不要に大きくなるが、ＵＲＬが変化する度にＵＲＬ情報にレコードを追加する代わりに、例えば、１秒毎、１分毎にＵＲＬ情報にレコードを追加するようにしても良い。この場合の装置の構成を図１６に示す。図１６の構成が図１２の構成と異なる点は、クライアント側問合せ部１０６が取得したＵＲＬがＵＲＬ変化検出部１１７を経由しないで、ＵＲＬ情報記録部１１８に供給される点のみである。また、この場合のＵＲＬ情報１１９−２を図１３（ｂ）に示す。図１３（ｂ）の構成が図１３（ａ）の構成と異なる点は、図１３（ａ）の構成においては、ＵＲＬの変化時のレコードしか含まれていないのに対し、図１３（ｂ）の構成においては、定期的なレコードが含まれている点である。また、この場合のテレビ番組録画時の動作を図１７に示す。図１７に示す動作が図１４に示す動作と異なる点は、ステップＳ３５５が省略されている点のみである。これにより、ステップＳ２１３を実行したならば必ずステップＳ３５７に進むこととなる。また、この場合のテレビ番組再生時の動作は、変わらない。但し、ステップＳ４０７におけるＵＲＬ情報検索部１２１のＵＲＬを検索するためのアルゴリズムが変更される。
【０１４６】
また、ＵＲＬ情報１１９−１を番組データと別個に用意する代わりに、例えば、番組データに定期的に（例えば、１秒ごと、１分毎）にＵＲＬを付したり、番組データの先頭部分及びＵＲＬが変化した部分にＵＲＬを付したりしても良い。
【０１４７】
実施形態４によれば、過去に記録したテレビ番組を再生する場合であっても、現在再生しているテレビ番組に対応したホームページをそのテレビ番組と同時に表示することが可能となる。また、記録の最中にチャンネルを変更しても、現在再生しているテレビ番組に正しく対応したホームページをそのテレビ番組と同時に表示することが可能となる。更に、同一チャンネル内でテレビ番組が変化した場合であっても、現在再生しているテレビ番組に正しく対応したホームページをそのテレビ番組と同時に表示することが可能となる。
【０１４８】
また、実施形態４によれば、番組データを記録するのと同時にＵＲＬを取得し、パーソナルコンピュータに保存しておくので、番組データを記録してから、例えば、１月、１年経過して、ＥＰＧ−ＵＲＬ格納部１９８に記録時のＥＰＧ−ＵＲＬ情報１９８−１が残っていない場合であっても、ホームページさえＷＷＷサーバ１９９に残っていれば、そのホームページを取得することができる。
【０１４９】
［実施形態５］
実施形態５では、実施形態３及び４と同様に、過去に記録され、現在再生されているテレビ番組を含むウィンドウ１２とそのテレビ番組に関連づけられたホームページを含むウィンドウ１５を同時に表示する。実施形態５は、実施形態４と同様に、例えば記録してから短時間乃至長期間経過した後にテレビ番組を再生する状況を想定したものである。
【０１５０】
図１８は、実施形態５によるテレビ番組に連動したホームページの表示装置及びこれに接続されているサーバの構成を示すブロック図である。
【０１５１】
図１８を参照すると、実施形態５によるテレビ番組に連動したホームページの表示装置は、時計１０１、現在日時検出部１０２、チューナ部１０３、チャンネル検出部１０５、クライアント側問い合わせ部１０６、ＷＷＷブラウザ１０７、ディスプレイ１０８、番組データ記録部１０９、番組データ格納部１１０、番組データ再生部１１４、ＵＲＬ変化検出部１１７、ファイル内時間検出部１２０、ホームページ取得部１２２、ホームページ記録部１２３、ホームページ格納部１２４、ホームページ情報記録部１２５、ホームページ情報格納部１２６、ホームページ情報検索部１２７、ホームページファイル名変化検出部１２８、ホームページ再生部１２９及びホームページ表示／非表示制御部６０１を備える。第１のサーバは、サーバ側問合せ部１９７及びＥＰＧ−ＵＲＬデータ格納部１９８を備える。第２のサーバは、ＷＷＷサーバ１９９である。
【０１５２】
次に、実施形態５の各部のうち実施形態１乃至４と異なる部分を説明する。
【０１５３】
ホームページ取得部１２２は、クライアント側問合せ部１０６がサーバ側問合せ部１９７から取得し、ＵＲＬ変化検出部１１７を介して送られてきたＵＲＬを有するホームページをＷＷＷサーバ１９９から取得する。ホームページ取得部１２２は、例えば、ｈｔｔｐクライアントを備える。
【０１５４】
ホームページ記録部１２３は、ホームページ取得部１２２が取得したホームページをホームページ格納部１２４に格納する。
【０１５５】
ホームページ格納部１２４は、ホームページを内部に格納する。
【０１５６】
ホームページ情報記録部１２５は、テレビ番組の記録の最中においてＵＲＬ変化検出部１１７がＵＲＬの変化を検出した時に、ホームページ取得部１２２及びホームページ記録部１２３によりホームページ格納部１２４にホームページが記録されるのに伴い、番組データ記録部１０９が番組データに付したファイル名、現在日時検出部１０２から入力した現在日時を基に算出した記録経過時間及びホームページ記録部１２３から入力したホームページのファイル名を関連づけてホームページ情報１２６−１を形成し、ホームページ情報１２６−１をホームページ情報格納部１２６に記録する。ホームページ情報１２６−１は、図１９（ａ）に示すような構成を有する。
【０１５７】
ホームページ情報格納部１２６は、ホームページ情報を内部に格納する。ホームページ情報格納部１２６は、例えば、ハードディスクドライブ等の記憶装置に設けられる。
【０１５８】
ホームページ情報検索部１２７は、番組データ再生部１１４から入力した番組データのファイル名及びファイル内時間検出部１２０が検出したファイル内時間に対応したホームページの名称をホームページ情報から検索する。
【０１５９】
ホームページファイル名変化検出部１２８は、ホームページ情報検索部１２７から入力したホームページの名称が変化したか否かを検出する。
【０１６０】
ホームページ再生部１２９は、ホームページファイル名変化検出部１２８がホームページの名称の変化を検出した時に、変化後の名称を有するホームページをホームページ格納部１２４から読み出し、これをＷＷＷブラウザ１０７に供給する。
【０１６１】
次に、実施形態５によるテレビ番組に連動したホームページの表示装置により行われるテレビ番組に連動したホームページの表示方法について説明する。図２０を参照して記録時の方法を説明し、図２１を参照して再生時の方法を説明する。
【０１６２】
図２０を参照すると、ステップＳ２０１乃至２１３は、図４を参照して説明した実施形態１のものと同一であるので説明を省略する。
【０１６３】
ステップＳ２１３でクライアント問合せ部１０６がＵＲＬを受信したならば、ＵＲＬ変化検出部１１７は、今回ステップＳ２１３で受信したＵＲＬが前回ステップＳ２１３で受信したＵＲＬと異なるか否かを判断する（ステップＳ４４５）。
【０１６４】
異なっていれば（ステップＳ４４５でＹＥＳ）、ホームページ取得部１２２は、ステップＳ２１３で受信したＵＲＬを有するホームページの送信をＷＷＷサーバ１９９に要求する（ステップＳ４４７）。
【０１６５】
次に、ＷＷＷサーバ１９９は、ステップＳ４４７で受信したＵＲＬを有するホームページをホームページ取得部１２２に送信する（ステップＳ４４９）。
【０１６６】
次に、ホームページ記録部１２３は、ステップＳ４４９で受信したホームページをホームページ格納部１２４に格納する（ステップＳ４５１）。
【０１６７】
次に、ホームページ情報記録部１２５は、ホームページ情報１２６−１をホームページ情報格納部１２６に格納する（ステップＳ４６１）。
【０１６８】
ステップＳ２０１及びＳ２０３は並列して継続的に行う。ステップＳ２０５乃至Ｓ４６１は、例えば、１分毎に継続的に行う。
【０１６９】
図２１を参照すると、ステップＳ３０１及びＳ３０３は、図１０を参照して説明した実施形態３のものと同一であり、ステップＳ４０５は図１５を参照して説明した実施形態４のものと同一であるので説明を省略する。
【０１７０】
ステップＳ３０１及びＳ３０３でテレビ番組の再生及び表示を行ったならば、ホームページ表示／非表示制御部６０１は、ホームページ表示フラグがセットされているか否かを判断する（ステップＳ６５１）。セットされていなければ（ステップＳ６５１でＮＯ）、ステップＳ３０１に戻り、セットされていれば（ステップＳ６５１でＹＥＳ）、ステップＳ４０５に進む。
【０１７１】
ステップＳ４０５で再生部分のファイル内時間を検出したならば、ホームページ情報検索部１２７は、再生している番組データのファイル名及びステップＳ４０５で検出したファイル内時間に対応したホームページのファイル名をホームページ情報から検索する（ステップＳ５０７）。
【０１７２】
次に、ホームページファイル名変化検出部１２８は、今回ステップＳ５０７を実行した時に検索したホームページのファイル名が前回ステップＳ５０７を実行した時に検索したホームページのファイル名と異なっているか否かを判断する（ステップＳ５０９）。
【０１７３】
ホームページのファイル名が変化していれば（ステップＳ５０９でＹＥＳ）、ホームページ再生部１２９は、ステップＳ５０７で検索したファイル名を有するホームページをホームページ格納部１２４から読み出す（ステップＳ５１１）。
【０１７４】
次に、ＷＷＷブラウザ１０７は、ステップＳ５１１で読み出したホームページをディスプレイに表示する（ステップＳ５１３）。
【０１７５】
ステップ３０１乃至Ｓ５１３は、例えば、１分毎に繰り返し行う。
【０１７６】
なお、ホームページ格納部１２４に格納されるホームページの容量及びホームページ情報が不要に大きくなるが、ＵＲＬが変化する度にホームページをホームページ格納部１２４に格納して、ホームページ情報にレコードを追加する代わりに、例えば、１秒毎、１分毎にホームページをホームページ格納部１２４に格納して、ホームページ情報にレコードを追加しても良い。この場合の装置の構成を図２２に示す。図２２の構成が図１８の構成と異なる点は、ＵＲＬ変化検出部１１７が削除され、クライアント側問合せ部１０６が取得したＵＲＬがＵＲＬ変化検出部１１７を経由しないで、ホームページ取得部１２２に供給される点のみである。また、この場合のホームページ情報を図１９（ｂ）に示す。図１９（ｂ）の構成が図１９（ａ）の構成と異なる点は、図１９（ａ）の構成においては、ＵＲＬの変化時のレコードしか含まれていないのに対し、図１９（ｂ）の構成においては、定期的なレコードが含まれている点である。また、この場合のテレビ番組録画時の動作を図２３に示す。図２３に示す動作が図２０に示す動作と異なる点は、ステップＳ４４５が省略されている点のみである。これにより、ステップＳ２１３を実行したならば、必ずステップＳ４４７に進むこととなる。また、この場合のテレビ番組再生時の動作は、変わらない。但し、ステップＳ５０７におけるホームページ情報検索部１２７のホームページの名称を検索するためのアルゴリズムが変更される。
【０１７７】
また、ホームページ情報１２６−１を番組データと別個に用意する代わりに、例えば、番組データに定期的に（例えば、１秒ごと、１分毎）にホームページ情報を付したり、番組データの先頭部分及びホームページが変化した部分にホームページ情報を付したりしても良い。
【０１７８】
実施形態５によれば、過去に記録したテレビ番組を再生する場合であっても、現在再生しているテレビ番組に対応したホームページをそのテレビ番組と同時に表示することが可能となる。また、記録の最中にチャンネルを変更しても、現在再生しているテレビ番組に正しく対応したホームページをそのテレビ番組と同時に表示することが可能となる。更に、同一チャンネル内でテレビ番組が変化した場合であっても、現在再生しているテレビ番組に正しく対応したホームページをそのテレビ番組と同時に表示することが可能となる。
【０１７９】
また、実施形態５によれば、番組データを記録するのと同時にホームページを取得し、パーソナルコンピュータに保存しておくので、番組データを記録してから、例えば、１月、１年経過して、ＥＰＧ−ＵＲＬ格納部１９８に記録時のＥＰＧ−ＵＲＬ情報が残っていない場合であっても、ホームページがＷＷＷサーバに残っていない場合であっても、テレビ番組に対応したホームページを表示することができる。
【０１８０】
実施形態１乃至５によるテレビ番組に連動したホームページの表示装置の各部は、ハードウェアによって実現することもできるし、コンピュータをこれらの部分として機能させるためのプログラムをコンピュータが読み込んで実行することによっても実現することができる。
【０１８１】
上記実施形態では、パーソナルコンピュータがテレビ番組に連動したホームページの表示装置として機能し、テレビ番組に連動したホームページの表示方法を行うこととしたが、パーソナルコンピュータの代わりにテレビ、ホームサーバ等の他の装置がテレビ番組に連動したホームページの表示装置として機能し、テレビ番組に連動したホームページの表示方法を行うようにしてもよい。
【産業上の利用可能性】
【０１８２】
本発明は、テレビ番組に関連づけられたホームページをそのテレビ番組と同時に表示するために利用することができる。
【図面の簡単な説明】
【０１８３】
【図１】本発明の実施形態により表示される画面の構成を示す概念図である。
【図２】本発明の実施形態１によるテレビ番組に連動したホームページの表示装置の構成を示すブロック図である。
【図３】図２等に示すＥＰＧ−ＵＲＬデータ格納部に格納されるＥＰＧ−ＵＲＬデータの構成を示す図である。
【図４】本発明の実施形態１によるテレビ番組に連動したホームページの表示方法を示すフローチャートである。
【図５】本発明の実施形態２によるテレビ番組に連動したホームページの表示装置の構成を示すブロック図である。
【図６】図５に示す日時対受信チャンネル情報格納部に格納される日時対受信チャンネル情報の構成を示す図である。
【図７】本発明の実施形態２及び３によるテレビ番組に連動したホームページの表示方法のうちの記録時の部分を示すフローチャートである。
【図８】本発明の実施形態２によるテレビ番組に連動したホームページの表示方法のうちの再生時の部分を示すフローチャートである。
【図９】本発明の実施形態３によるテレビ番組に連動したホームページの表示装置の構成を示すブロック図である。
【図１０】本発明の実施形態３によるテレビ番組に連動したホームページの表示方法のうちの再生時の部分を示すフローチャートである。
【図１１】図９に示す日時対受信チャンネル情報格納部に格納されるデータの変形例の構成を示す図である。
【図１２】本発明の実施形態４によるテレビ番組に連動したホームページの表示装置の構成を示すブロック図である。
【図１３】図１２に示すＵＲＬ情報格納部に格納される情報の構成を示す図である。
【図１４】本発明の実施形態４によるテレビ番組に連動したホームページの表示方法のうちの記録時の部分を示すフローチャートである。
【図１５】本発明の実施形態４によるテレビ番組に連動したホームページの表示方法のうちの再生時の部分を示すフローチャートである。
【図１６】本発明の実施形態４によるテレビ番組に連動したホームページの表示装置の変形例の構成を示すブロック図である。
【図１７】本発明の実施形態４によるテレビ番組に連動したホームページの表示方法の変形例のうちの記録時の部分を示すフローチャートである。
【図１８】本発明の実施形態５によるテレビ番組に連動したホームページの表示装置の構成を示すブロック図である。
【図１９】図１８に示すホームページ情報格納部に格納されるホームページ情報の構成を示す図である。
【図２０】本発明の実施形態５によるテレビ番組に連動したホームページの表示方法のうちの記録時の部分を示すフローチャートである。
【図２１】本発明の実施形態５によるテレビ番組に連動したホームページの表示方法のうちの再生時の部分を示すフローチャートである。
【図２２】本発明の実施形態５によるテレビ番組に連動したホームページの表示装置の変形例の構成を示すブロック図である。
【図２３】本発明の実施形態５によるテレビ番組に連動したホームページの表示方法の変形例のうちの記録時の部分を示すフローチャートである。
【図２４】ホームページ表示／非表示制御部の表示モードの切り替えに伴う動作を説明するためのフローチャートである。
【図２５】ホームページ表示／非表示制御部の動作のホームページ表示ボタンが押された場合の動作を説明するためのフローチャートである
【符号の説明】
【０１８４】
１０１  時計
１０２  現在日時検出部
１０３  チューナ部
１０４  テレビ番組表示部
１０５  チャンネル検出部
１０６  クライアント側問合せ部
１０７  ＷＷＷブラウザ
１０８  ディスプレイ
１０９  番組データ記録部
１１０  番組データ格納部
１１１  日時対受信チャンネル情報記録部
１１２  日時対受信チャンネル情報格納部
１１３  タイムシフト量入力部
１１４  番組データ再生部
１１５  時刻対受信チャンネル情報検索部
１１６  再生日時検索部
１１７  ＵＲＬ変化検出部
１１８  ＵＲＬ情報記録部
１１９  ＵＲＬ情報格納部
１２０  ファイル内時間検出部
１２１  ＵＲＬ情報検索部
１２２  ホームページ取得部
１２３  ホームページ記録部
１２４  ホームページ格納部
１２５  ホームページ情報記録部
１２６  ホームページ情報格納部
１２７  ホームページ情報検索部
１２８  ホームページファイル名変化検出部
１２９  ホームページ再生部
１９７  サーバ側問合せ部
１９８  ＥＰＧ−ＵＲＬデータ格納部
１９９  ＷＷＷサーバ
６０１  ホームページ表示／非表示制御部
【図１】
2006099379.tif 000003
【図２】
2006099379.tif 000004
【図３】
2006099379.tif 000005
【図４】
2006099379.tif 000006
【図５】
2006099379.tif 000007
【図６】
2006099379.tif 000008
【図７】
2006099379.tif 000009
【図８】
2006099379.tif 000010
【図９】
2006099379.tif 000011
【図１０】
2006099379.tif 000012
【図１１】
2006099379.tif 000013
【図１２】
2006099379.tif 000014
【図１３】
2006099379.tif 000015
【図１４】
2006099379.tif 000016
【図１５】
2006099379.tif 000017
【図１６】
2006099379.tif 000018
【図１７】
2006099379.tif 000019
【図１８】
2006099379.tif 000020
【図１９】
2006099379.tif 000021
【図２０】
2006099379.tif 000022
【図２１】
2006099379.tif 000023
【図２２】
2006099379.tif 000024
【図２３】
2006099379.tif 000025
【図２４】
2006099379.tif 000026
【図２５】
2006099379.tif 000027